(57)【特許請求の範囲】
【請求項１】
一側にロック凹部（１１）が形成された容器本体（１０）と、
前記容器本体（１０）に結合され、一側に収容凹部（２１）が形成された容器蓋（２０）と、
前記容器蓋（２０）の収容凹部（２１）に装着され、装着凹部（３３）が形成された開閉ボタン（３０）と、
前記開閉ボタン（３０）の装着凹部（３３）に装着される弾性材質の開閉テンション部材（４０）とで構成され、
前記開閉ボタン（３０）の下側中央にはロック突起（３１）が一体に形成され、前記ロック突起（３１）は前記容器本体（１０）のロック凹部（１１）に締結され、
前記開閉テンション部材（４０）は、
装着凹部（３３）に嵌め込まれる本体部と、
前記本体部から後方へと延び、前記容器蓋（２０）の収容凹部（２１）の前面を弾性加圧する開閉弾性部（４１）と、
前記本体部から下方へと、開閉ボタン（３０）の下方の開口を突き抜けて延び、前記容器本体（１０）の上端面を弾性加圧する蓋持上げ弾性部（４２）と
を含むことを特徴とする、蓋に開閉ボタンが備えられた化粧料用コンパクト容器。
【請求項２】
前記本体部、及び、前記開閉弾性部（４１）は、いずれも、後方へと開いた穴を備えることを特徴とする、請求項１に記載の蓋に開閉ボタンが備えられた化粧料用コンパクト容器。
【請求項３】
前記開閉テンション部材（４０）は、前記本体部、前記開閉弾性部（４１）及び蓋持上げ弾性部（４２）を、左右にそれぞれ備えるとともに、左右の前記本体部を連結するブリッジ部を、ロック突起（３１）の上方に備えることを特徴とする、請求項１または２に記載の蓋に開閉ボタンが備えられた化粧料用コンパクト容器。
【請求項４】
前記収容凹部（２１）の側面には結合凹部（２２）が形成され、前記結合凹部（２２）には開閉ボタン（３０）の両側面に形成された結合突起（３２）が回動可能に結合されることを特徴とする、請求項１〜３のいずれかに記載の蓋に開閉ボタンが備えられた化粧料用コンパクト容器。
【請求項５】
前記開閉テンション部材（４０）は、弾性材質で形成され、特に、天然ゴム、エラストマー、ＮＢＲ（ａｃｒｙｌｏｎｉｔｒｉｌｅ−ｂｕｔａｄｉｅｎｅ  ｒｕｂｂｅｒ）ゴムおよびシリコーンゴムの中一つ以上の材質で形成されることを特徴とする、請求項１〜３のいずれかに記載の蓋に開閉ボタンが備えられた化粧料用コンパクト容器。
【発明の詳細な説明】
【技術分野】
【０００１】
本発明は、蓋に開閉ボタンが備えられた化粧料用コンパクト容器に係り、さらに詳しくは、開閉ボタンを容器蓋に形成することで、容器本体に占めていた開閉ボタン収容空間を無くし、開閉ボタンを組み立てるために必要であった中容器を取り除いて容器本体の化粧料収容空間を最大化させることにより、多くの化粧料を効果的に充填することができるようにして頻繁な化粧料詰め替えの不便さを最小限に抑えることができるようにし、また、容器蓋に開閉ボタンを形成するが、前記開閉ボタン内にゴム材質の開閉テンション部材を形成することで、開閉ボタンを加圧すると開閉ボタンのロック突起が容器本体のロック溝から解除され、このとき、開閉テンション部材の蓋持上げ弾性部が容器本体の上端面を弾性加圧することにより容器蓋が上方に持ち上げられて容器蓋が開かれるようにする、蓋に開閉ボタンが備えられた化粧料用コンパクト容器に関する。
【背景技術】
【０００２】
色調化粧品とは、容姿を美しく変化させて肌を美しく演出する目的で使用されるものをいい、肌色を均一にし、且つ欠点をカバーするために使用されるベースメイクアップと、唇、目、爪などに部分的に立体感を高めるために使用されるポイントメイクアップに区分され、ベースメイクアップにはメイクアップベース、ファンデーション、パウダーなどが含まれており、ポイントメイクアップには口紅、アイライナー、マスカラなどが含まれている。
【０００３】
前記ファンデーションは、化粧料の形態によって、固形ファンデーション、液状ファンデーション、ゲル状ファンデーションに区分される。固形ファンデーションの場合は、カバー力は高いものの、修正化粧の際に凝集するという欠点があり、液状ファンデーションの場合は、密着感は良いものの、持続力が弱いという欠点がある。よって、最近、かなり持続力を有し且つ肌への塗布時の密着感が良いゲル状ファンデーションを好む消費者が多くなった。
【０００４】
このため、ゲル状ファンデーション用容器の開発も必要になったが、一般に、ゲル状ファンデーションをガラス容器またはチューブ容器に充填し、使用の際に、使用者が手に取ったり絞り出したりしてパフまたは手を使って肌に塗布する方式で使用された。
【０００５】
ところが、従来技術は、使用者が使用するたびに手に化粧料をつけるので毎回手を洗わなければならないなど、使用上不便な点があり、前述のように化粧料の付いた手を洗うことにより化粧料が失われるという問題点があった。
【０００６】
かかる問題点を解決するために、パフが内蔵されたコンパクト容器が開発され、化粧料を手に付けなくても良いようにし且つ持ち運びも簡便にした。
【０００７】
しかしながら、前記従来のコンパクト容器は、容器蓋と容器本体を強制的に着脱する構造で形成されており、使用者が化粧料を使用するために蓋を開閉するときに不便であるという問題点があり、また、繰り返された強制着脱によりコンパクト容器の締結構造に無理が生じてしまい、締結構造の摩耗または破損により長期間使用することができないという問題点があった。
【０００８】
かかる問題点を解決するために、図１に示すように、韓国登録実用新案第２０−０１７１４４８号が提案されたが、これは、開閉ボタンを備えたコンパクト容器であって、蓋２にフック４を一体に形成し、容器本体１内には蓋２を開閉させるために弾力的に作動可能な開閉ボタン３を形成することで、容器本体１の外側に突出している開閉ボタン３の押圧部を押圧すると、開閉ボタン３のフックと蓋２のフック４との係合が解除されて蓋２が開かれるようにしたものである。
【０００９】
しかし、上記の従来技術は、容器本体１に開閉ボタン３を装着し、中容器５でこれをカバーすることにより、開閉ボタン３を形成するための空間が大きく必要とされるので、容器本体１に収容可能な内容物、すなわち化粧料の量が減少して頻繁な詰め替えを行なわなければならないという問題点があった。このため、開閉ボタン３が容器本体１に占める体積を最小化させて効率よく多くの容量の化粧料を充填することが可能な容器の開発が求められている。
【発明の概要】
【発明が解決しようとする課題】
【００１０】
本発明は、かかる問題点を解決するためになされたもので、その目的は、開閉ボタンを容器蓋に形成することで、容器本体に占めていた開閉ボタン収容空間を無くし、開閉ボタンを組み立てるために必要であった中容器を取り除いて容器本体の化粧料収容空間を最大化させることにより、多くの化粧料を効果的に充填することができるようにして頻繁な化粧料詰め替えの不便さを最小限に抑えることができるようにする、蓋に開閉ボタンが備えられた化粧料用コンパクト容器を提供することにある。
【００１１】
本発明の他の目的は、容器蓋に開閉ボタンを形成するが、前記開閉ボタン内にゴム材質の開閉テンション部材を形成することで、開閉ボタンを加圧すると開閉ボタンのロック突起が容器本体のロック溝から解除され、このとき、開閉テンション部材の蓋持上げ弾性部が容器本体の上端面を弾性加圧することにより容器蓋が上方に持ち上げられて容器蓋が開かれるようにする、蓋に開閉ボタンが備えられた化粧料用コンパクト容器を提供することにある。
【課題を解決するための手段】
【００１２】
本発明は、一側にロック溝１１が形成された容器本体１０と、
前記容器本体１０に結合され、一側に収容溝２１が形成された容器蓋２０と、
前記容器蓋２０の収容溝２１に装着され、装着溝３３が形成された開閉ボタン３０と、
前記開閉ボタン３０の装着溝３３に装着される弾性材質の開閉テンション部材４０とを含んでなり、
前記開閉ボタン３０の下側中央にはロック突起３１が一体に形成され、前記ロック突起３１は容器本体１０のロック溝１１に締結され、
前記開閉テンション部材４０は、容器蓋２０の収容溝２１の前面を弾性加圧する開閉弾性部４１と、容器本体１０の上端面を弾性加圧する蓋持上げ弾性部４２とからなることを特徴とする、蓋に開閉ボタンが備えられた化粧料用コンパクト容器を提供する。
【００１３】
また、前記収容溝２１の側面には結合溝２２が形成され、前記結合溝２２には開閉ボタン３０の両側面に形成された結合突起３２が回動可能に結合されることを特徴とする。
【００１４】
また、前記開閉テンション部材４０は、弾性材質で形成され、特に、天然ゴム、エラストマー、ＮＢＲ（ａｃｒｙｌｏｎｉｔｒｉｌｅ−ｂｕｔａｄｉｅｎｅ  ｒｕｂｂｅｒ）ゴムおよびシリコーンゴムのうち少なくとも一つ以上の材質で形成されることを特徴とする。
【００１５】
また、前記開閉弾性部４１は開閉ボタン３０の内側面へ突出形成されることを特徴とする。
【００１６】
また、前記蓋持上げ弾性部４２は開閉ボタン３０の下側へ突出形成されることを特徴とする。
【発明の効果】
【００１７】
本発明は、開閉ボタンを容器蓋に形成することで、容器本体に占めていた開閉ボタン収容空間を無くし、開閉ボタンを組み立てるために必要であった中容器を取り除いて容器本体の化粧料収容空間を最大化させることにより、多くの化粧料を効果的に充填することができるようにして頻繁な化粧料詰め替えの不便さを最小限に抑えることができるようにする、蓋に開閉ボタンが備えられた化粧料用コンパクト容器を提供するという効果がある。
【００１８】
また、本発明は、容器蓋に開閉ボタンを形成するが、前記開閉ボタン内にゴム材質の開閉テンション部材を形成することにより、開閉ボタンを加圧すると開閉ボタンの結合突起が容器本体のロック溝から解除され、このとき、開閉テンション部材の蓋持上げ弾性部が容器本体の上端面を弾性加圧することにより容器蓋が上方に持ち上げられて容器蓋が開かれるようにする、蓋に開閉ボタンが備えられた化粧料用コンパクト容器を提供するという効果がある。
【図面の簡単な説明】
【００１９】
【図１】従来の開閉ボタンを備えたコンパクト容器の斜視図である。
【図２】本発明の一実施形態に係る蓋に開閉ボタンが備えられた化粧料用コンパクト容器の斜視図である。
【図３】本発明の一実施形態に係る蓋に開閉ボタンが備えられた化粧料用コンパクト容器の分解斜視図である。
【図４】図２のＡ−Ａ線に沿った断面図である。
【図５】図４のＡ１の拡大図である。
【図６】図２のＢ−Ｂ線に沿った断面図である。
【図７】図６のＢ１の拡大図である。
【図８】本発明の一実施形態に係る蓋に開閉ボタンが備えられた化粧料用コンパクト容器の開閉ボタンを押す状態の断面図である。
【図９】本発明の一実施形態に係る蓋に開閉ボタンが備えられた化粧料用コンパクト容器の容器蓋を開放する状態の断面図である。
【発明を実施するための形態】
【００２０】
以下に添付図面を参照しながら、本発明に係る蓋に開閉ボタンが備えられた化粧料用コンパクト容器の一実施形態を説明する。
【００２１】
図２は本発明の一実施形態に係る蓋に開閉ボタンが備えられた化粧料用コンパクト容器の斜視図、図３は本発明の一実施形態に係る蓋に開閉ボタンが備えられた化粧料用コンパクト容器の分解斜視図、図４は図２のＡ−Ａ線に沿った断面図、図５は図４のＡ１の拡大図、図６は図２のＢ−Ｂ線に沿った断面図、図７は図６のＢ１の拡大図、図８は本発明の一実施形態に係る蓋に開閉ボタンが備えられた化粧料用コンパクト容器の開閉ボタンを押す状態の断面図、図９は本発明の一実施形態に係る蓋に開閉ボタンが備えられた化粧料用コンパクト容器の容器蓋を開放する状態の断面図である。
【００２２】
本発明の蓋に開閉ボタンが備えられた化粧料用コンパクト容器は、内部に内容物を収容する容器本体１０と、前記容器本体１０に結合され、一側に収容溝２１が形成された容器蓋２０と、前記容器蓋２０の収容溝２１に装着され、装着溝３３が形成された開閉ボタン３０と、前記開閉ボタン３０の装着溝３３に装着される弾性材質の開閉テンション部材４０とを含んでなり、前記開閉ボタン３０の下側中央にはロック突起３１が一体に形成され、前記ロック突起３１は容器本体１０のロック溝１１に締結され、前記開閉テンション部材４０は、容器蓋２０の収容溝２１の前面を弾性加圧する開閉弾性部４１と、容器本体１０の上端面を弾性加圧する蓋持上げ弾性部４２とからなる。
【００２３】
前記容器本体１０は、中央に内容器５０が収容され、一側にロック溝１１が形成され、前記ロック溝１１の向き合う側にヒンジが形成されて容器蓋２０とヒンジピン１２によってヒンジ結合される。
【００２４】
前記容器蓋２０は、容器本体１０の上部を覆うもので、容器本体１０とヒンジ結合で連結され、前記容器本体１０を開放または閉鎖する役割を果たす。
【００２５】
前記容蓋２０は、一側に収容溝２１が形成され、前記収容溝２１の側面には結合溝２２が形成される。
【００２６】
前記収容溝２１には開閉ボタン３０が装着され、前記開閉ボタン３０は容器本体１０のロック溝１１に結合される。
【００２７】
前記結合溝２２には、開閉ボタン３０の両側面に形成された結合突起３２が回動自在に結合される。
【００２８】
前記開閉ボタン３０は、下側中央にロック突起３１が形成され、両側面には結合突起３２が形成され、裏面には装着溝３３が形成され、前記装着溝３３には開閉テンション部材４０が装着される。
【００２９】
前記ロック突起３１は、容器本体１０のロック溝１１に係合できるように突起形状からなる。
【００３０】
前記結合突起３２は、容器蓋２０の結合溝２２に回動可能に結合され、開閉ボタン３０が容器蓋２０から分離されないようにする。
【００３１】
前記容器蓋２０に形成された開閉ボタン３０は、図１に示すように、従来の容器本体１に占めていた開閉ボタン収容空間を無くし、前記開閉ボタン３を組み立てるために必要であった中容器５を取り除いて容器本体１の化粧料収容空間を最大化させることにより、多くの化粧料を効果的に充填することができるようにして頻繁な化粧料詰め替えの不便さを最小限に抑えることができるという利点がある。
【００３２】
前記開閉ボタン３０の内側面の装着溝３３に装着される開閉テンション部材４０は、開閉ボタン３０を弾性的に支持しなければならないため、弾性材質で形成され、特に、天然ゴム、エラストマー、ＮＢＲ（ａｃｒｙｌｏｎｉｔｒｉｌｅ−ｂｕｔａｄｉｅｎｅ  ｒｕｂｂｅｒ）ゴムおよびシリコーンゴムのうち少なくとも一つ以上の材質で形成されることが好ましい。
【００３３】
前記開閉テンション部材４０は、開閉弾性部４１と蓋持上げ弾性部４２とからなる。
【００３４】
前記開閉弾性部４１は、開閉ボタン３０の内側面へ突出形成され、容器蓋２０の収容溝２１の前面を弾性加圧することにより、図４乃至図７に示すように開閉ボタン３０のロック突起３１が容器本体１０のロック溝１１に締結されているようにする。
【００３５】
前記蓋持上げ弾性部４２は、開閉ボタン３０の下側へ突出形成され、容器本体１０の上端面を弾性加圧する。
【００３６】
前記開閉ボタン３０を加圧すると、結合突起３１が容器本体１０のロック溝１１から解除され、このとき、開閉テンション部材４０の蓋持上げ弾性部４２が容器本体１０の上端面を弾性加圧しているので、容器蓋２０が上方に持ち上げられながら開かれる。
【００３７】
前記内容器５０は、容器本体１０の内部に装着され、上部一側にはヒンジフック５１が一体に形成され、内壁５２の外側に一定の間隔で離隔して外壁５３が形成される。
【００３８】
前記内容器５０には、化粧料が直接収容されるか、或いは化粧料の含浸された含浸部材６０が装着される。
【００３９】
前記ヒンジフック５１は、内容器蓋８０の外周面の一側に形成されたヒンジ突起８１とフック・留め金式で締結される。
【００４０】
前記内壁５２の外周面には固定部材７０がさらに結合されるが、前記固定部材７０は、内容器５０の内壁５２の外周面にアンダーカット結合または螺合または締まり嵌めされる。
【００４１】
前記内容器蓋８０は、内容器５０に結合され、前記内容器５０を開閉する役割を果たす。
【００４２】
前記内容器蓋８０は、外周面の一側にヒンジ突起８１が形成され、上側にはパフ９０を収容できるパフ収容部８２が形成される。
【００４３】
前記ヒンジ突起８１が、内容器５０の上部一側に形成されたヒンジフック５１とフック・留め金式で締結され、内容器蓋８０と内容器５０をピンで固定せずに前記フック・留め金式で締結されるようにして、製造に必要な部品の数を減らすことにより製造コストを削減することができる。
【００４４】
前記パフ収容部８２には、パフ９０が装着され、内容器５０に収容された化粧料を容易に取って使用することができる。
【００４５】
次に、本発明の一実施形態に係る蓋に開閉ボタンが備えられた化粧料用コンパクト容器の組立方法および使用状態を詳細に説明する。
【００４６】
本発明の蓋に開閉ボタンが備えられた化粧料用コンパクト容器を組み立てるために、一側にロック溝１１が一体に形成された容器本体１０に容器蓋２０をヒンジ結合で結合する。
【００４７】
この際、前記容器蓋２０は、一側に収容溝２１が形成され、前記収容溝２１の側面には結合溝２２が形成され、前記収容溝２１には開閉ボタン３０が装着されるが、前記開閉ボタン３０の両側面に形成された結合突起３２が結合溝２２に回動可能に嵌め込まれる。
【００４８】
前記開閉ボタン３０の装着溝３３には、開閉弾性部４１と蓋持上げ弾性部４２からなる開閉テンション部材４０が装着される。
【００４９】
前記開閉テンション部材４０は、開閉ボタン３０を弾性的に支持しなければならないため、弾性材質で形成され、特に、天然ゴム、エラストマー、ＮＢＲ（ａｃｒｙｌｏｎｉｔｒｉｌｅ−ｂｕｔａｄｉｅｎｅ  ｒｕｂｂｅｒ）ゴムおよびシリコーンゴムのうち、一つ以上の材質で形成されることが望ましい。
【００５０】
その後、前記容器本体１０に内容器５０を装着するが、前記内容器５０は一側にヒンジフック５１が形成され、前記ヒンジフック５１を内容器蓋８０の外周面の一側に形成されたヒンジ突起８１とフック・留め金式で締結することにより、内容器蓋８０と内容器５０とを締結する。
【００５１】
前記内容器５０には、化粧料が直接収容されるか、或いは化粧料の含浸された含浸部材６０が装着される。
【００５２】
前記内容器５０の内壁５２の外周面に固定部材７０をさらに結合して、本発明の蓋に開閉ボタンが備えられた化粧料用コンパクト容器の組立を完了する。
【００５３】
前述の方法で組み立てられた、蓋に開閉ボタンが備えられた化粧料用コンパクト容器を使用するために、図８に示すように容器蓋２０の一側に形成された開閉ボタン３０を押す。
【００５４】
この際、前記開閉ボタン３０の装着溝３３には、開閉テンション部材４０が装着されて開閉ボタン３０を弾発支持する。
【００５５】
前記開閉テンション部材４０の蓋持上げ弾性部４２は、開閉ボタン３０の下側へ突出形成され、容器本体１０の上端面を弾性加圧することで、図９に示すように開閉ボタン３０のロック突起３１が容器本体１０のロック溝１１から解除されると、このとき、開閉テンション部材４０の蓋持上げ弾性部４２が容器本体１０の上端面を弾性加圧することにより容器蓋２０が上方に持ち上げられながら開かれるという利点がある。
【００５６】
以上、本発明の説明は蓋に開閉ボタンが備えられた化粧料用コンパクト容器を実施するための一実施形態に過ぎないもので、本発明はこの一実施形態に限定されるものではない。添付された請求の範囲で請求するように、本発明の要旨を逸脱することなく、当該発明の属する分野における通常の知識を有する者であれば誰でも様々な変更実施が可能な範囲まで、本発明の範囲に属するものと看做されるべきである。
【符号の説明】
【００５７】
１０    容器本体
１１    ロック溝
１２    ヒンジピン
２０    容器蓋
２１    収容溝
２２    結合溝
３０    開閉ボタン
３１    ロック突起
３２    結合突起
３３    装着溝
４０    開閉テンション部材
４１    開閉弾性部
４２    蓋持上げ弾性部
５０    内容器
５１    ヒンジフック
５２    内壁
５３    外壁
６０    含浸部材
７０    固定部材
８０    内容器蓋
８１    ヒンジ突起
８２    パフ収容部
９０    パフ
【図１】
0006484713.tif 000002
【図２】
0006484713.tif 000003
【図３】
0006484713.tif 000004
【図４】
0006484713.tif 000005
【図５】
0006484713.tif 000006
【図６】
0006484713.tif 000007
【図７】
0006484713.tif 000008
【図８】
0006484713.tif 000009
【図９】
0006484713.tif 000010